(57)【要約】【課題】停電により録画停止し、記録途中となった画像データを復旧させる。【解決手段】ＨＤＤに画像データを録画するＰＲＶ部はサブマイコンにより制御される。サブマイコンは電力供給開始されると、フラグがセットされたまま、すなわち前回の録画動作中に停電してフラグをリセットすることができなかったか否か判定する（Ｓ３）。判定結果、録画中の停電を検出するとＰＲＶ部に対して復旧指示を通知する（Ｓ５）。ＰＲＶ部は該通知を受理するとＨＤＤから録画中断した画像ファイルを検索して、検索された画像ファイルをクローズする（Ｆ１７）。また録画予約情報も判定して、録画予約時間の残りがあれば、予約情報に従い録画動作が継続される。【選択図】　　　　図６
2004120365.tif 000002
【特許請求の範囲】
【請求項１】
電力が供給されてハードディスクに少なくともデジタルの画像情報をファイル単位で記録する記録部と、
前記ハードディスクの記録内容を再生して出力する再生部と、
電力が供給されて動作して前記記録部を制御する制御部とを備え、
電力供給が断たれた後も前記ハードディスクの記録内容は保持されて、
前記制御部は、
当該制御部へ電力が供給開始されたとき、前回の記録動作中に電力の供給が断たれた場合には、電力供給が前回断たれたときに記録中の前記ファイルを検索してクローズするよう前記記録部を制御する復旧手段と、
予め準備されたフラグを、前記記録部に対して電力が供給される期間はセットして、電力供給が断たれるとリセットするフラグ設定手段と、
当該制御部へ電力が供給開始されたとき、前記フラグはセット状態と判定したときは、前回の記録動作中に電力の供給が断たれたことを検出する電力断検出手段と、
当該制御部に電力が供給されている期間において記録情報が保持される情報記録部と、
前記記録部による記録動作を予約するために前記記録動作の期間を予約するための予約期間データを含む予約情報を受理して、受理した前記予約情報を前記ハードディスクおよび前記情報記録部に記録させる予約情報記録手段と、
当該制御部へ電力が供給開始されたとき、前記ハードディスクから読出された前記予約情報を前記情報記録部に記録する供給開始時記録手段と、
実時間を計時するリアルタイムクロックとを有し、
当該制御部へ電力が供給開始されたとき、前記リアルタイムクロックにより計時された実時間が前記供給開始時記録手段により前記情報記録部に記録された前記予約情報の前記予約期間データが示す前記予約期間の途中を示す場合には、前記録画部に前記予約情報に基づく前記記録動作を再開させて、
電力は商用電源から供給されて、停電により前記商用電源からの電力供給が断たれることを特徴とする、録画再生装置。
【請求項２】
電力が供給されて記録媒体に少なくともデジタルの画像情報をファイル単位で記録する記録部と、
前記電力が供給されて動作して前記記録部を制御する制御部とを備え、
前記制御部は、
当該制御部へ電力が供給開始されたとき、前回の記録動作中に電力の供給が断たれた場合には、電力供給が前回断たれたときに記録中の前記ファイルを検索してクローズするよう前記記録部を制御する復旧手段を有する、録画装置。
【請求項３】
前記制御部は、
予め準備されたフラグを、前記記録部に対して電力が供給される期間はセットして、電力供給が断たれるとリセットするフラグ設定手段と、
当該制御部へ電力が供給開始されたとき、前記フラグはセット状態と判定したときは、前回の記録動作中に電力の供給が断たれたことを検出する電力断検出手段とをさらに有する、請求項２に記載の録画装置。
【請求項４】
電力供給が断たれた後も前記記録媒体の記録内容は保持されて、
前記制御部は、
当該制御部に電力が供給されている期間において記録情報が保持される情報記録部と、
前記記録部による記録動作を予約するための予約情報を受理して、受理した前記予約情報を前記記録媒体および前記情報記録部に記録させる予約情報記録手段と、
当該制御部へ電力が供給開始されたとき、前記記録媒体から読出された前記予約情報を前記情報記録部に記録する供給開始時記録手段とをさらに有する、請求項２または３に記載の録画装置。
【請求項５】
前記予約情報は前記記録動作の期間を予約するための予約期間データを含み、
前記制御部は、
実時間を計時するリアルタイムクロックをさらに有し、
当該制御部へ電力が供給開始されたとき、前記リアルタイムクロックにより計時された実時間が前記供給開始時記録手段により前記情報記録部に記録された前記予約情報の前記予約期間データが示す前記予約期間の途中を示す場合には、前記録画部に前記予約情報に基づく前記記録動作を再開させることを特徴とする、請求項４に記載の録画装置。
【請求項６】
前記記録媒体はハードディスクであることを特徴とする、請求項２から５のいずれか１項に記載の録画装置。
【請求項７】
前記記録媒体の記録内容を再生して出力する再生部をさらに備える、請求項２から６のいずれか１項に記載の録画装置。
【請求項８】
電力は商用電源から供給されて、停電により前記商用電源からの電力供給が断たれることを特徴とする、請求項２から７のいずれか１項に記載の録画装置。
【請求項９】
電源から電力が供給されて、予め準備された記録媒体に少なくともデジタルの画像情報をファイル単位で記録する記録ステップと、
前回の記録動作中に電力の供給が断たれたか否か検出する電源断検出ステップと、
前記電源断検出ステップにより電力の供給が断たれたと検出された場合には、電力供給が前回断たれたときに記録中の前記ファイルを検索してクローズする復旧ステップとを有する、録画方法。
【発明の詳細な説明】
【０００１】
【発明の属する技術分野】
この発明は記録媒体に画像情報を記録する機能を有した録画装置およびこの録画機能と再生機能を有した録画再生装置ならびに録画方法に関し、特に、突然に電力供給が断たれた場合にも対処可能な録画装置および録画再生装置ならびに録画方法に関する。
【０００２】
【従来の技術】
画像記録装置における停電からの復旧に関する技術として、磁気記録再生装置においてＲＡＭ（Ｒａｎｄｏｍ　Ａｃｃｅｓｓ　Ｍｅｍｏｒｙ）に格納した時計データや予約データが停電により消去された場合に、これらデータを復旧させる機能が提供されている（たとえば特許文献１参照）。
【０００３】
また、ビデオテープレコーダ（ＶＴＲ：Ｖｉｄｅｏ　Ｔａｐｅ　Ｒｅｃｏｒｄｅｒ）に用いた自動時計設定装置において、停電復旧時には自動時計設定に必要なポジションを選局し、時計データを復活させる機能が提案されている（たとえば、特許文献２参照）。
【０００４】
また、ＶＴＲによる録画中に停電した場合に、録画を中断した時間の情報を求めて、ＶＴＲのマイコン（マイクロコンピュータの略）に通知し、マイコンがこれを表示する機能が提案されている（たとえば、特許文献３参照）。
【０００５】
また、放送情報記録再生システムにおいて、停電により予約情報が失われたことを携帯電話機、ＰＨＳ（Ｐｅｒｓｏｎａｌ　Ｈａｎｄｙ　ｐｈｏｎｅ　Ｓｙｓｔｅｍ）などの通信装置に送信し、通信装置を使って、タイマなどの再設定を行なう技術が提案されている（たとえば、特許文献４参照）。
【０００６】
【特許文献１】
特開平４−３０１２４９号公報の明細書と図面
【０００７】
【特許文献２】
特開平８−３３５３４２号公報の明細書と図面
【０００８】
【特許文献３】
特開平９−２７５５４０号公報の明細書と図面
【０００９】
【特許文献４】
特開２０００−３５４２２１公報の明細書と図面
【００１０】
【発明が解決しようとする課題】
これらの技術は、録画装置において停電から復旧した場合に、予約データや時計情報を復旧（再設定）するに留まり、録画途中で停電した場合に録画中断されたデータを、正常なデータとして復旧させるための手順は何ら示されていない。
【００１１】
それゆえにこの発明の目的は、停電からの電力供給再開時に記録内容を正常に復旧させることができる録画装置および録画再生装置ならびに録画方法を提供することである。
【００１２】
【課題を解決するための手段】
この発明のある局面に従うと、録画再生装置は、電力が供給されてハードディスクに少なくともデジタルの画像情報をファイル単位で記録する記録部と、ハードディスクの記録内容を再生して出力する再生部と、電力が供給されて動作して前記記録部を制御する制御部とを備えて、電力供給が断たれた後もハードディスクの記録内容は保持される。
【００１３】
制御部は、当該制御部へ電力が供給開始されたとき、前回の記録動作中に電力の供給が断たれた場合には、電力供給が前回断たれたときに記録中のファイルを検索してクローズするよう記録部を制御する復旧手段と、予め準備されたフラグを、記録部に対して電力が供給される期間はセットして、電力供給が断たれるとリセットするフラグ設定手段と、当該制御部へ電力が供給開始されたとき、フラグはセット状態と判定したときは、前回の記録動作中に電力の供給が断たれたことを検出する電力断検出手段と、当該制御部に電力が供給されている期間において記録情報が保持される情報記録部と、記録部による記録動作を予約するために記録動作の期間を予約するための予約期間データを含む予約情報を受理して、受理した予約情報をハードディスクおよび情報記録部に記録させる予約情報記録手段と、当該制御部へ電力が供給開始されたとき、ハードディスクから読出された予約情報を情報記録部に記録する供給開始時記録手段と、実時間を計時するリアルタイムクロックとを有し、当該制御部へ電力が供給開始されたとき、リアルタイムクロックにより計時された実時間が供給開始時記録手段により情報記録部に記録された予約情報の予約期間データが示す予約期間の途中を示す場合には、録画部に予約情報に基づく前記記録動作を再開させる。また電力は商用電源から供給されて、停電により商用電源からの電力供給が断たれる。
【００１４】
したがって、記録部による記録動作中に電力供給が断たれたために記録途中のファイルを正常にクローズできなかったときは、その後に制御部に電力供給開始がなされたときは、制御部の復旧手段は記録部に対してこの記録途中のファイルを検索してクローズするように制御する。
【００１５】
それゆえに、記録動作中に停電などして電力供給が突然断たれて記録途中のファイルをクローズできなかった場合でも、その後の電力供給開始時には該ファイルをクローズして記録内容を正常に復旧させることができる。
【００１６】
また、記録動作中に停電などせず電力が供給されつづけた場合には、その後の電力供給開始時にはフラグはリセットされているが、記録動作中に停電などして電力供給が断たれた場合には、制御部のフラグ設定部はもはやフラグ設定することはできず、フラグはセット状態のままでその後の電力供給が開始される。
【００１７】
それゆえに、電力断検出手段は、電力供給が開始されたとき前回の記録動作中に電力の供給が断たれたことを、フラグ状態がセット状態であることに基づいて容易に検出できる。
【００１８】
また、停電などにより電力供給が断たれて情報記録部の予約情報を含む記録情報が保持されていなくても、その後の制御部への電力供給開始時には、停電があっても記録媒体に保持されている同じ予約情報が読出されて情報記録部に記録される。
【００１９】
それゆえに、記録部を制御する制御部に停電などにより電力供給が断たれて情報記録部中の予約情報が保持されてなくても、情報記録部において予約情報を復旧させることができる。
【００２０】
また、予約情報に基づく記録動作の途中に停電などにより電力供給が停止したとしても、その後の電力供給開始時には、上述のように情報記録部に復旧した当該予約情報の予約期間の途中であれば当該予約情報に基づいて記録動作を再開させることができる。
【００２１】
また、ハードディスクに画像情報をファイル単位で記録する場合に停電などにより突然の電力供給が停止されても上述の作用・効果を得ることができる。
【００２２】
また、同一装置において、記録媒体に情報を記録して、その記録内容を記録媒体から再生して出力することができる。
【００２３】
また電力が商用電源から供給されて停電した場合には、上述のように復旧動作がなされる。
【００２４】
この発明の他の局面に従うと、録画装置は電力が供給されて記録媒体に少なくともデジタルの画像情報をファイル単位で記録する記録部と、電力が供給されて動作して記録部を制御する制御部とを備える。
【００２５】
制御部は、当該制御部へ電力が供給開始されたとき、前回の記録動作中に電力の供給が断たれた場合には、電力供給が前回断たれたときに記録中のファイルを検索してクローズするよう記録部を制御する復旧手段を有する。
【００２６】
したがって、記録部による記録動作中に電力供給が断たれたために記録途中のファイルを正常にクローズできなかったときは、その後に制御部に電力供給開始がなされたときは、制御部の復旧手段は記録部に対してこの記録途中のファイルを検索してクローズするように制御する。
【００２７】
それゆえに、記録動作中に停電などして電力供給が突然断たれて記録途中のファイルをクローズできなかった場合でも、その後の電力供給開始時には該ファイルをクローズして記録内容を正常に復旧させることができる。
【００２８】
上述の制御部は、好ましくは、予め準備されたフラグを、記録部に対して電力が供給される期間はセットして、電力供給が断たれるとリセットするフラグ設定手段と、当該制御部へ電力が供給開始されたとき、フラグはセット状態と判定したときは、前回の記録動作中に電力の供給が断たれたことを検出する電力断検出手段とをさらに有する。
【００２９】
したがって、記録動作中に停電などせず電力が供給されつづけた場合には、その後の電力供給開始時にはフラグはリセットされているが、記録動作中に停電などして電力供給が断たれた場合には、制御部のフラグ設定部はもはやフラグ設定することはできず、フラグはセット状態のままでその後の電力供給が開始される。
【００３０】
それゆえに、電力断検出手段は、電力供給が開始されたとき前回の記録動作中に電力の供給が断たれたことを、フラグ状態がセット状態であることに基づいて容易に検出できる。
【００３１】
上述の録画装置は、好ましくは、電力供給が断たれた後も記録媒体の記録内容は保持されて、制御部は、当該制御部に電力が供給されている期間において記録情報が保持される情報記録部と、記録部による記録動作を予約するための予約情報を受理して、受理した予約情報を記録媒体および情報記録部に記録させる予約情報記録手段と、当該制御部へ電力が供給開始されたとき、記録媒体から読出された予約情報を情報記録部に記録する供給開始時記録手段とをさらに有する。
【００３２】
したがって、停電などにより電力供給が断たれて情報記録部の予約情報を含む記録情報が保持されていなくても、その後の制御部への電力供給開始時には、停電があっても記録媒体に保持されている同じ予約情報が読出されて情報記録部に記録される。
【００３３】
それゆえに、記録部を制御する制御部に停電などにより電力供給が断たれて情報記録部中の予約情報が保持されてなくても、情報記録部において予約情報を復旧させることができる。
【００３４】
上述の録画装置では、好ましくは、予約情報は記録動作の期間を予約するための予約期間データを含み、制御部は、実時間を計時するリアルタイムクロックをさらに有し、当該制御部へ電力が供給開始されたとき、リアルタイムクロックにより計時された実時間が供給開始時記録手段により情報記録部に記録された予約情報の予約期間データが示す予約期間の途中を示す場合には、録画部に予約情報に基づく記録動作を再開させる。
【００３５】
したがって、予約情報に基づく記録動作の途中に停電などにより電力供給が停止したとしても、その後の電力供給開始時には、上述のように情報記録部に復旧した当該予約情報の予約期間の途中であれば当該予約情報に基づいて記録動作を再開させることができる。
【００３６】
上述の記録媒体は好ましくは、ハードディスクである。したがって、ハードディスクに画像情報をファイル単位で記録する場合に停電などにより突然の電力供給が停止されても上述の作用・効果を得ることができる。
【００３７】
上述の録画装置は好ましくは、記録媒体の記録内容を再生して出力する再生部をさらに備える。したがって、同一装置において、記録媒体に情報を記録して、その記録内容を記録媒体から再生して出力することができる。
【００３８】
上述の録画装置では、好ましくは電力は商用電源から供給されて、停電により商用電源からの電力供給が断たれる。
【００３９】
したがって停電して商用電源から電力供給が断たれたとしても、上述のような復旧が可能となる。
【００４０】
この発明のさらなる他の局面に従うと、録画方法は、電源から電力が供給されて、予め準備された記録媒体に少なくともデジタルの画像情報をファイル単位で記録する記録ステップと、前回の記録動作中に電力の供給が断たれたか否か検出する電源断検出ステップと、電源断検出ステップにより電力の供給が断たれたと検出された場合には、電力供給が前回断たれたときに記録中のファイルを検索してクローズする復旧ステップとを有する。
【００４１】
したがって、記録動作中に電力供給が断たれたために記録途中のファイルを正常にクローズできなかったときは、この記録途中のファイルが検索されてクローズされる。
【００４２】
それゆえに、記録動作中に停電などして電力供給が突然断たれて記録途中のファイルをクローズできなかった場合でも、その後に該ファイルを検索しクローズして、記録内容を正常に復旧させることができる。
【００４３】
【発明の実施の形態】
以下、この発明の実施の形態について図面を参照して詳細に説明する。
【００４４】
図１には、この発明の実施の形態による録画再生装置の構成が示される。図１において録画再生装置は、ＰＶＲ（Ｐｅｒｓｏｎａｌ　Ｖｉｄｅｏ　Ｒｅｃｏｒｄｅｒ）部１、電源ユニット２、ＤＶＤ（Ｄｉｇｉｔａｌ　Ｖｉｄｅｏ　ｄｉｓｃ　Ｄｒｉｖｅｒ）部３、サブマイコン４、ＲＴＣ（Ｒｅａｌ　Ｔｉｍｅ　Ｃｌｏｃｋ）５、図示されない商用電源のコンセントに挿抜されるプラグ７を接続する電源６、サブマイコン４およびＲＴＣ５についての補助用の電源として機能するバッテリ部８を備える。図１中、破線は電力の供給を示し、実線は信号（電力信号を含む）、データおよび情報などのための通信を示す。
【００４５】
電源６はプラグ７がコンセントに挿入されて商用電源から供給される電力を電源ユニット２、サブマイコン４およびＲＴＣ５に供給する。
【００４６】
サブマイコン４はサブＣＰＵ（Ｃｅｎｔｒａｌ　Ｐｒｏｃｅｓｓｏｒ　Ｕｎｉｔ）１０、外部から操作可能なように設けられたスイッチなどからなる入力部１１、各種プログラムとデータを記憶するメモリ１２、および各種情報を出力する液晶などの出力部１３を有する。サブＣＰＵ１０は電源制御信号６０を電源ユニット２に出力する。
【００４７】
電源ユニット２は電源制御信号６０を入力すると、入力した電源制御信号６０に基づいてＰＶＲ部１およびＤＶＤ部３の両方または一方に電源６からの電力を供給する。
【００４８】
ＲＴＣ５は、実時間（リアルタイム）を計時するためのクロックとして機能する計時用カウンタ５１、ＰＲＶ部１に対して電源６から電力供給されている期間はサブＣＰＵ１０によりセットされて、その後電力供給が断たれるとリセットされるフラグＦＬを格納するフラグレジスタ５２および予約録画のための情報、目覚し時計の時刻などの情報を含む一種のアラームのための情報を記憶するアラームレジスタ５３を有する。フラグレジスタ５２は電力供給が断たれてもその内容を保持できる。
【００４９】
図２には、図１のＰＶＲ部１の構成が示される。図２においてＰＶＲ部１は、メインＣＰＵ２０、各種プログラムおよびデータを格納するＲＡＭ２１およびＲＯＭ（Ｒｅａｄ　Ｏｎｌｙ　Ｍｅｍｏｒｙ）２２、テレビジョン信号などの放送信号を受信するアンテナ２３、アンテナ２３による受信信号から指定されたチャンネルの信号を抽出するチューナ２４、チューナ２４で抽出された信号を入力してデジタル情報に変換するデジタル変換部２５、デジタル変換部２５から出力されたデジタル情報の画像データを圧縮する画像圧縮部２６、圧縮された画像データを含む情報を記録するためのＨＤＤ（Ｈａｒｄ　Ｄｉｓｃ　Ｄｒｉｖｅｒ）２７、ＨＤＤ２７から読出された画像データを展開（解凍、伸張）するための画像展開部２８、画像展開部２８から出力された画像データをアナログ信号に変換するためのアナログ変換部２９、アナログ変換部２９からのアナログ信号を入力して、図示されない外部装置（テレビジョン受像機など）に導出するための出力部３０およびサブマイコン４と通信するためのインターフェイス３１を備える。ＨＤＤ２７は図示されないが例えばデジタルハードディスクとこれをアクセスするための制御系とを有し、電力の供給が断たれてもデジタルハードディスクの記録内容は保持される。
【００５０】
ここでは、ＰＶＲ部１については説明を簡単にするために画像の処理系のみを説明し、音声の処理系は説明を省略するが、音声情報も画像情報とともにＨＤＤ２７を介して書込および読出される。
【００５１】
なお、ＤＶＤ部４はデジタルビデオディスクが着脱自在に装着されて、装着されたディスクから読取った画像および音声の情報を再生のために、図示されない出力デバイス（テレビジョン受像機など）に与えて、ここに画面表示したり、ＰＲＶ部１のＨＤＤ２７に記録された内容が与えられると、これを装着されたデジタルビデオディスクに書込んだりする。
【００５２】
図３（Ａ）〜（Ｃ）には、図２のＨＤＤ２７の記録内容の一例が示される。図３（Ａ）においてＨＤＤ２７のデジタルハードディスクのアドレス空間は領域Ｅ１、Ｅ２、Ｅ３およびＥ４に区分される。領域Ｅ１にはユーザ情報ＵＦが、領域Ｅ２には録画される各番組に対応して録画情報ＲＦｊ（ｊ＝１、２、３、…、ｍ）が、領域Ｅ３にはタイムシフト録画モードのための画像データであるタイムシフトデータＴＳＤが、および領域Ｅ４には通常の録画モードにおける録画データＲＣＤがそれぞれ記録される。
【００５３】
ユーザ情報ＵＦは図３（Ｂ）に示すように、現在の状態情報ＵＦＡ、現在の番組名ＵＦＢおよびファイル情報識別子ＵＦＣを含む。現在の状態情報ＵＦＡは、現在記録中のデータはタイムシフトデータＴＳＤあるか録画データＲＣＤであるかの別を示す。現在の番組名ＵＦＢは現在、領域Ｅ３またはＥ４に記録される画像データの番組名を特定して示す。ファイル情報識別子ＵＦＣはファイル形式で領域Ｅ３およびＥ４に記録される画像データについて、現在記録中のファイルに対応の後述のファイル情報Ｆｉを識別するための識別子を示す。
【００５４】
録画情報ＲＦｊは図３（Ｃ）に示すように、対応の番組についての名称を示す番組名情報ＲＦＡ、該番組を予約録画するための予約内容を示す予約情報ＲＦＢおよび１つ以上のファイル情報Ｆｉ（ｉ＝１、２、３、…、ｎ）を含む。ＨＤＤ２７において番組の画像データは固定長のファイル単位で記録される。ここでは、画像データを記録したファイルに対応して、該ファイルが作成されるごとにファイル情報Ｆｉが形成される。ファイル情報Ｆｉは番組の画像データのファイルを記録した領域Ｅ３またはＥ４におけるアドレス領域を示す使用アドレス領域情報ＵＡＤおよび終了符号ＥＳを含む。終了符号ＥＳは対応のファイルについての画像データの記録が終了した際、または対応の番組の画像データの記録が終了したときに書込まれる情報である。したがって、終了符号ＥＳが記録されているか否かにより、該フィイル情報Ｆｉに対応のファイルについての画像データの記録が正常に終了しているか否かを識別することができる。
【００５５】
ＨＤＤ２７の領域Ｅ２の録画情報ＲＦｊは、領域Ｅ３またはＥ４におけるどの空間にファイルが配置されているかを管理し記録するための情報である。領域Ｅ３またはＥ４の画像データをアクセス（読み書き）する場合には、領域Ｅ２の録画情報ＲＦｊを参照し、その参照結果に基づいてなされる。したがって、画像データ（録画データＲＣＤまたはタイムシフトデータＴＳＤ）が無傷でも、録画情報ＲＦｊの内容が破壊または完成されていないと領域Ｅ３またはＥ４に記録された画像データ（録画データＲＣＤまたはタイムシフトデータＴＳＤ）を消去することも読出すことも不可能となり、結果としてＨＤＤ２７において使用することのできない無駄な記憶領域が生じることになる。
【００５６】
図４には、図１の録画再生装置の動作モードと、サブマイコン４、ＰＶＲ部１およびＤＶＤ部３の各部への電力供給の有無が表形式にして示される。プラグ７がコンセントに挿入されたことに応じて電源６から電源ユニット２、サブマイコン４およびＲＴＣ５に電力供給開始されると、スタンバイモードに移行する。スタンバイモードでは、図示されるようにサブマイコン４には電源６から電力供給されるが、サブマイコン４はＰＶＲ部１とＤＶＤ部３に電力供給しないよう指示するレベルに設定した電源制御信号６０を、電源ユニット２に出力するので、ＰＶＲ部１とＤＶＤ部３には電力供給がなされない。
【００５７】
その後、入力部１１のスイッチ操作などによりユーザにより各部へ電力供給をして駆動（稼動）を指示するパワーオン指示がなされると、サブＣＰＵ４はＰＶＲ部１とＤＶＤ部３に電力供給するよう指示するレベルに設定した電源制御信号６０を電源ユニット２に出力する。電源ユニット２は与えられた電源制御信号６０を入力すると、入力した電源制御信号６０に基づいて電源６からの供給電力をＰＶＲ部１とＤＶＤ部３にも供給する。このようなパワーオンモードでは図４に示すように、サブマイコン４、ＰＶＲ部１およびＤＶＤ部３のすべてに電力供給がなされて各部は駆動（稼動）可能状態となる。
【００５８】
スタンバイモードでユーザが図示されないリモコンによりまたは入力部１１のスイッチ操作により所望番組の録画予約を行なった場合には、一時的にパワーオンモードに移行して録画予約のための手続がなされ、手続終了後にはスタンバイモードに戻る。その後、予約時間になると図４の予約録画モードに移行する。予約録画モードに移行すると、サブマイコン４はＰＶＲ部１のみに電力供給するよう指示するレベルをセットした電源制御信号６０を電源ユニット２に出力するので、電源ユニット２はＰＶＲ部１にのみ駆動（稼動）させるための電力供給をする。
【００５９】
図４に示した各モードにおいて、プラグ７がコンセントから抜かれる、または停電などにより電源６からの電力供給が突然に停止すると、電源ユニット２、サブマイコン４およびＲＴＣ５に対する電源６からの電力供給は停止するが、このときサブマイコン４とＲＴＣ５にはバッテリ部８により補助用の電力が供給される。したがって、サブマイコン４は停電後に所定期間は動作を継続でき、またＲＴＣ５のアラームレジスタ５３の内容も停電後の所定期間であれば保持することができる。
【００６０】
次に図５のフローチャートに従い図１の録画再生装置の予約録画の動作について説明する。ここでは、図１の録画再生装置の各部は図４に示すスタンバイモードにあったと想定する。
【００６１】
まず、ユーザはサブマイコン４の入力部１１を操作して番組の予約録画のためにチャンネル番号、該番組の放送開始および終了時間を含む予約情報を入力する（ステップＦ（以下、単にＦと略す）１でＹＥＳ）。
【００６２】
サブＣＰＵ４は予約情報の入力を検出すると、電源制御信号６０を出力してパワーオンモードに移行させる（Ｆ２）。その後ＲＴＣ５のアラームレジスタ５３に予約情報を書込む（Ｆ３）。そして、ＰＶＲ部１に対して予約情報を通知する（Ｆ４）。その後、電源制御信号６０を出力してスタンバイモードに移行させる（Ｆ５）。
【００６３】
一方、ＰＶＲ部１は、パワーオンモードに移行して、メインＣＰＵ２０はインターフェイス３１を介してサブマイコン４から予約情報を受信すると（Ｆ２０でＹＥＳ）、受信した予約情報をＨＤＤ２７の録画情報ＲＦｊの中に予約情報ＲＦＢとして書込む（Ｆ２１）。その後、スタンバイモードに移行させられる（Ｆ２２）。
【００６４】
サブマイコン４ではスタンバイモードに移行（Ｆ５）した後は、サブＣＰＵ１０は、ＲＴＣ５のアラームレジスタ５３の予約情報の番組開始時間と計時用カウンタ５１により計時される実時間とを常時比較する。比較結果、両時間が一致すると録画スタートのタイミングと判定して（Ｆ６でＹＥＳ）、電源制御信号６０を出力して予約録画モードに移行させる（Ｆ７）。そして、録画開始指示をＰＶＲ部１に通知する（Ｆ８）。
【００６５】
一方、ＰＶＲ部１は、このとき予約録画モードに移行しているので、メインＣＰＵ２０はインターフェイス３１を介して録画開始指示を受信する（Ｆ２３でＹＥＳ）。メインＣＰＵ２０は、録画開始指示を入力すると、先ほどの録画情報ＲＦｊに書込まれた予約情報ＲＦＢの内容に基づいて、録画を行なう（Ｆ２４）。つまり、予約情報ＲＦＢで示されるチャンネルの放送信号を抽出するようにチューナ２４を調整するので、チューナ２４からは該チャンネルの放送信号（番組の放送信号）が抽出される。抽出された放送信号はデジタル変換部２５および画像圧縮部２６を介して、デジタルの画像データとしてＨＤＤ２７のデジタルハードディスクに記録される。
【００６６】
このとき、画像データは領域Ｅ３またはＥ４において固定長のファイル単位で記録されるので、画像データ記録のファイルが作成されるごとに、該ファイルについてのファイル情報Ｆｉが録画情報ＲＦｊに作成される。画像データをファイルに書込み、ファイルが一杯になると、メインＣＰＵ２０は、そのファイルについての領域Ｅ３またはＥ４における使用アドレス領域を示す使用アドレス領域情報ＵＡＤをファイル情報Ｆｉに書込んで、該ファイル情報Ｆｉに終了符号ＥＳを書込む。そして、同様にして次のファイルについて画像データを書込み、次のファイル情報Ｆ（ｉ＋１）について情報を書込む。
【００６７】
このような一連の画像データの記録が行なわれるとき、メインＣＰＵ２０は領域Ｅ１のユーザ情報ＵＦにおいて現在の状態情報ＵＦＡ、現在の番組名ＵＦＢおよびファイル情報識別子ＵＦＣを逐次更新する。またサブＣＰＵ１０は予約録画が終了時刻になったことを、アラームレジスタ５３の予約情報の番組終了時刻と計時用カウンタ５１による実時間との一致により判定すると（Ｆ９でＹＥＳ）、録画終了通知をＰＶＲ部１に通知する（Ｆ１０）。
【００６８】
ＰＶＲ部１のメインＣＰＵ２０はインターフェイス３１を介して録画終了通知を受信すると（Ｆ２５でＹＥＳ）、現在画像データの書込がなされていたファイルについてのファイル情報、たとえばファイル情報Ｆｎに、使用アドレス領域情報ＵＡＤを書込み、終了符号ＥＳも書込む（Ｆ２６）。
【００６９】
このとき、ユーザ情報ＵＦのファイル情報識別子ＵＦＣには、現在のファイル情報Ｆｎについての識別子が書込まれている。
【００７０】
その後、メインＣＰＵ２０はインターフェイス３１を介してサブマイコン４に対して録画終了を通知する（Ｆ２７）。サブマイコン４のサブＣＰＵ１０は録画終了通知を受信すると（Ｆ１１でＹＥＳ）、電源制御信号６０を出力してスタンバイモードに移行させる（Ｆ１２）。以上により、予約録画の動作は終了する。
【００７１】
上述の予約録画動作中に停電などにより録画動作が中断すると、前述したようのＨＤＤ２７において読み書き不可能な画像ファイルが生じてしまう。そこで、該画像ファイルを復旧するために図６のフローチャートに従う処理が行なわれる。
【００７２】
図６を参照して、まず、サブマイコン４のサブＣＰＵ１０は、プラグ７がコンセントに挿入されて電源６から電力が供給開始されると、メモリ１２などの初期化処理をしてスタンバイモードに移行する（ステップＳ（以下、単にＳと略す）１）。電源６から電力供給が開始されて初期化処理（Ｓ１）をした後、サブＣＰＵ１０は現在のモードがスタンバイモードであると判別するので（Ｓ２でＹＥＳ）、フラグレジスタ５２のフラグＦＬがセットされているか否かを判定する（Ｓ３）。セットされていなければ（Ｓ３でＮＯ）Ｓ２に戻る。
【００７３】
初期化（Ｓ１）してスタンバイモードに移行した後、ユーザによりプラグ７が抜かれるまたは停電するなどしてスタンバイモードでなく（Ｓ２でＮＯ）、かつ電源６からＰＲＶ部１に電力供給がなされないと判定されると（Ｓ７でＮＯ）、サブＣＰＵ１０はフラグＦＬをリセットして（Ｓ９）、Ｓ２に戻る。一方、パワーオンモードまたは予約録画モードなどに移行してＰＲＶ部１に電力供給がなされと（Ｓ２でＮＯ、Ｓ７でＹＥＳ）、サブＣＰＵ１０はフラグＦＬをセットして（Ｓ８）、Ｓ２に戻る。
【００７４】
以上ようにＰＲＶ部１に電力供給されている期間はＳ２、Ｓ７およびＳ９のループ処理が繰返されるので、サブＣＰＵ１０によりフラグＦＬはセットに保持される。この期間に図５に示す予約録画動作が実行される。
【００７５】
しかしながら、予約録画動作中に突然の停電などにより電源６から各部への電力供給が断たれると、サブＣＰＵ１０はフラグＦＬをリセットすることができないので、フラグＦＬはセットされたままとなる。
【００７６】
このような突然の停電の後に停電から回復して電力の供給が再開されると、上述の初期化処理（Ｓ１）をした後にスタンバイモードに移行して、サブＣＰＵ１０はフラグＦＬがセットされていると判断する（Ｓ２でＹＥＳ、Ｓ３でＹＥＳ）。このように、フラグＦＬはセットされていると判定された場合には、前回の録画動作が中断されてフラグＦＬがセットされたままと考えられる。そこで、その旨のメッセージを出力部１３に表示して（Ｓ３ａ）、ファイルの復旧などをするために電源制御信号６０を出力してパワーオンモードに移行させて（Ｓ４）、ＰＶＲ部１に対してファイルの復旧を指示するために通知する（Ｓ５）。
【００７７】
ＰＶＲ部１のメインＣＰＵ２０はパワーオンモードに移行させられると、ＲＡＭ２１とＲＯＭ２２などの初期化処理をして、サブＣＰＵ１０からファイル復旧指示の通知を受信すると（Ｆ１６でＹＥＳ）、該指示に基づいてファイル復旧のためにファイルクローズ処理を行なう（Ｆ１７）。
【００７８】
具体的には、ＨＤＤ２７のユーザ情報ＵＦのファイル情報識別子ＵＦＣを参照して、前回電力供給が断たれる直前に録画動作により画像データが書込まれつつあったファイルに対応するファイル情報Ｆｉを特定して、特定されたファイル情報Ｆｉに、対応の画像データのファイルについての使用アドレス領域情報ＵＡＤを検出して書込むとともに終了符号ＥＳを書込む。これにより、対応の画像データのファイルは読み書きが可能な状態に復旧する。したがって、録画途中に不用意に電力供給が断たれてしまった場合でも、その後の電力供給開始時にはファイルクローズ処理が実行されて、それまでの録画ファイルをすべて再生可能な有効ファイルとなるように復旧させることができる。
【００７９】
また、予約録画の途中に電力供給が断たれた場合には、予約録画を再開させるために次のように動作する。
【００８０】
まず、サブＣＰＵ１０は、電源断により消去されたアラームレジスタ５３の予約情報を復旧させるためにＰＶＲ部１に予約情報の取得を要求するので、メインＣＰＵ２０はＨＤＤ２７のユーザ情報ＵＦの現在の番組名ＵＦＢに基づいて、対応する番組名情報ＲＦＡを有する録画情報ＲＦｊを特定して、特定された録画情報ＲＦｊの予約情報ＲＦＢを読出して、サブマイコン４に通知する（Ｓ１０、Ｓ１１、Ｆ１８、Ｆ１９）。
【００８１】
サブマイコン４のサブＣＰＵ１０はメインＣＰＵ２０から通知された予約情報を受信して、それをＲＴＣ５のアラームレジスタ５３に書込む（Ｓ１１）。これにより、アラームレジスタ５３において停電などによりバッテリ部８から補助の電力供給がされるが、供給電力が十分でなく予約情報が消失したとしても復旧させることができる。そして、サブＣＰＵ１０はアラームレジスタ５３に改めて書込まれた予約情報の録画終了時間と計時用カウンタ５１により計測されている実時間とを比較して、予約録画期間に残り期間がないと判定すると（Ｓ１２でＮＯ）今回の処理は終了するが、あると判定すると（Ｓ１２でＹＥＳ）図５のステップＦ６〜Ｆ１０およびＦ２３〜Ｆ２７の録画処理が前述と同様に行なわれる。これにより、中断された予約録画動作が再開されて録画を継続することができる。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００８３】
【発明の効果】
この発明の録画装置または録画再生装置によれば、記録動作中に停電などして電力供給が突然断たれて記録途中のファイルをクローズできなかった場合でも、その後の電力供給開始時には該ファイルをクローズして記録内容を正常に復旧させることができる。
【００８４】
また、電力断検出手段は、電力供給が開始されたとき前回の記録動作中に電力の供給が断たれたことを、フラグ状態がセット状態であることに基づいて容易に検出できる。
【００８５】
また、記録部を制御する制御部に停電などにより電力供給が断たれて情報記録部中の予約情報が保持されてなくても、情報記録部において予約情報を復旧させることができる。
【００８６】
また、予約情報に基づく記録動作の途中に停電などにより電力供給が停止したとしても、その後の電力供給開始時には、上述のように情報記録部に復旧した当該予約情報の予約期間の途中であれば当該予約情報に基づいて記録動作を再開させることができる。
【００８７】
また、ハードディスクに画像情報をファイル単位で記録する場合に停電などにより突然の電力供給が停止されても上述の効果を得ることができる。
【００８８】
また、同一装置において、記録媒体に情報を記録して、その記録内容を記録媒体から再生して出力することができる。
【００８９】
電力が商用電源から供給されて、停電により商用電源からの電力供給が断たれたとしても、上述のような復旧が可能となる。
【００９０】
この発明の録画方法によれば、記録動作中に停電などして電力供給が突然断たれて記録途中のファイルをクローズできなかった場合でも、該ファイルを検索しクローズして、記録内容を正常に復旧させることができる。
【図面の簡単な説明】
【図１】この発明の実施の形態による録画再生装置の構成図である。
【図２】図１のＰＶＲ部の構成図である。
【図３】（Ａ）〜（Ｃ）は、図２のＨＤＤの記録内容の一例を示す図である。
【図４】図１の録画再生装置の動作モードと、サブマイコン、ＰＶＲ部およびＤＶＤ部の各部への電力供給の有無とを表形式にして示す図である。
【図５】本実施の形態に係る予約録画の動作のフローチャートである。
【図６】録画中の電力断を検出して画像ファイルを復旧するための処理フローチャートである。
【符号の説明】
１　ＰＶＲ部、２　電源ユニット、３　ＤＶＤ部、４　サブマイコン、５　ＲＴＣ、６　電源、２０　メインＣＰＵ、２７　ＨＤＤ、ＵＦ　ユーザ情報、ＲＦｊ　録画情報、ＴＳＤ　タイムシフトデータ、ＲＣＤ　録画データ、ＵＦＡ　現在の状態情報、ＵＦＢ　現在の番組名、ＵＦＣ　ファイル情報識別子、ＲＦＡ　番組名情報、ＲＦＢ　予約情報、Ｆｉ　ファイル情報、ＵＡＤ　使用アドレス領域情報、ＥＳ　終了符号、６０　電源制御信号、ＦＬ　フラグ。
【図１】
2004120365.tif 000003
【図２】
2004120365.tif 000004
【図３】
2004120365.tif 000005
【図４】
2004120365.tif 000006
【図５】
2004120365.tif 000007
【図６】
2004120365.tif 000008